(57)【要約】【課題】記録品位を安定させ、読み出し不能エラーの発生しにくい安定した記録を実現できる光ディスク記録制御方法を提供することを目的とする。【解決手段】ステップＳ１−４またはステップＳ１−８において、光ディスクを回転駆動するスピンドル駆動手段の電源電圧が閾値よりも低下したことを検出して、ステップＳ１−６またはステップＳ１−１０において、スピンドル駆動手段による前記光ディスクの回転速度を低下させて記録倍速を低下させて、ステップＳ１−９またはステップＳ１−１１において記録を継続する。【選択図】図１
2008016159.tif 000002
【特許請求の範囲】
【請求項１】
回転駆動された光ディスクに光学ヘッド手段がアクセスして記録を行う光ディスク装置において、記録を実行するに際し、
前記光ディスクを回転駆動するスピンドル駆動手段の電源電圧が閾値よりも低下したことを検出して、記録倍速を低下させて記録を継続する
光ディスク記録制御方法。
【請求項２】
回転駆動された光ディスクに光学ヘッド手段がアクセスして２種類以上の記録線速度でＺｏｎｅ  ＣＬＶ記録を行う光ディスク装置において、記録を実行するに際し、
現在位置が速度切り替え位置に到達した時に前記光ディスクを回転駆動するスピンドル駆動手段の電源電圧の振幅が閾値未満の場合には、前記光ディスクの回転速度を高くして次の記録倍速に切り替えて記録し、
現在位置が速度切り替え位置に到達した時に前記光ディスクを回転駆動するスピンドル駆動手段の電源電圧の振幅が閾値以上の場合には、前記速度切り替え位置を変更して記録を継続する
光ディスク記録制御方法。
【請求項３】
前記閾値を決定する工程では、
電源電圧として初期電圧Ｖ０を供給し、
記録開始アドレスから記録を開始し、記録中に前記電源電圧を変更し、
前記記録が終了すると電源電圧として初期電圧Ｖ０を供給し、
前記記録した領域を再生し記録品位指標値を演算し、
前記記録品位指標値が予め定めた許容範囲でない状態を検出した記録位置を記録したときの電源電圧値に応じて閾値を決定する
請求項１記載の光ディスク記録制御方法。
【請求項４】
前記閾値を決定する工程では、
電源電圧として初期電圧Ｖ０を供給し、
記録開始アドレスから記録を開始し、記録を終了し、
前記記録が終了すると電源電圧を初期電圧Ｖ０を供給し、
前記記録した領域を再生し記録品位指標値を演算し、
前記記録品位指標値が予め定めた許容範囲でない状態を検出するまで電源電圧を変更して、記録の開始と終了、記録が終了すると電源電圧を初期電圧Ｖ０を供給し、記録品位指標値の演算を繰り返し、
許容範囲でない状態を検出した記録位置を記録したときの電源電圧値に応じて閾値を決定する
請求項１記載の光ディスク記録制御方法。
【請求項５】
前記閾値を決定する工程では、
電源電圧として初期電圧Ｖ０を供給し、
記録開始アドレスから記録を開始し、記録中に前記初期電圧の振幅値を変更し、
前記記録が終了すると電源電圧を初期電圧Ｖ０を供給し、
前記記録した領域を再生し記録品位指標値を演算し、
前記記録品位指標値が予め定めた許容範囲でない状態を検出した記録位置を記録したときの電源電圧の振幅値に応じて閾値を決定する
請求項２記載の光ディスク記録制御方法。
【請求項６】
前記閾値を決定する工程では、
電源電圧として初期電圧Ｖ０を供給し、
記録開始アドレスから記録を開始し、記録を終了し、
前記記録が終了すると電源電圧の初期電圧Ｖ０を供給し、
前記記録した領域を再生し記録品位指標値を演算し、
前記記録品位指標値が予め定めた許容範囲でない状態を検出するまで電源電圧の初期電圧Ｖ０の振幅値を変更して、記録の開始と終了、記録が終了すると電源電圧を初期電圧Ｖ０を供給し、記録品位指標値の演算を繰り返し、
許容範囲でない状態を検出した記録位置を記録したときの電源電圧の振幅値に応じて閾値を決定する
請求項２記載の光ディスク記録制御方法。
【発明の詳細な説明】
【技術分野】
【０００１】
本発明は、レーザービームをある光ディスクに照射し、光学的に情報を記録する光ディスク装置に関し、特に、駆動電力に制限がある環境下で使用されるものに関する。
【背景技術】
【０００２】
近年、光ディスク装置を搭載したノート型コンピュータが普及してきており、光ディスク装置の電源をノート型コンピュータの内蔵バッテリから供給するタイプのものも増えてきている。また、ＣＤ−Ｒ／ＣＤ−ＲＷ／ＤＶＤ±Ｒ／ＤＶＤ±ＲＷ等多種類の記録メディアに対応し、それぞれ記録速度も向上してきている。
【０００３】
しかしながら、高倍速での記録を行う場合には、再生時あるいは低倍速記録時と比較して消費電力が大きくなり、ノート型コンピュータのような駆動電力に制限がある環境下では電源電圧が変動し、記録に失敗する、あるいは記録品位が低下し記録したデータが読み出せなくなるといった問題が発生している。
【０００４】
このような不具合を改善する従来の方法として、特許文献１では、記録回路の電源供給電圧が、記録時に設定値以下になった場合には、記録の一時休止または間欠記録を行い、電圧が回復してから連続記録を行う方法が記載されている。
【特許文献１】特開２００３−２４２６７３号公報（図１）
【発明の開示】
【発明が解決しようとする課題】
【０００５】
しかし、特許文献１に記載されているように、記録時に電圧が設定値以下になった場合に記録の一時休止または間欠記録を行い、電圧が回復してから連続記録を行う場合には、記録の中断・再開が繰り返されるため、記録品位が不均一になりやすく読み出しエラーが発生しやすくなる問題がある。
【０００６】
本発明は、駆動電力に制限がある環境下で光ディスクに対して高倍速記録を行おうとした場合においても、装置構成を複雑にすることなく記録品位を安定させ、読み出し不能エラーの発生しにくい安定した記録を実現できる光ディスク記録制御方法を提供することを目的とする。
【課題を解決するための手段】
【０００７】
本発明の請求項１記載の光ディスク記録制御方法は、回転駆動された光ディスクに光学ヘッド手段がアクセスして記録を行う光ディスク装置において、記録を実行するに際し、前記光ディスクを回転駆動するスピンドル駆動手段の電源電圧が閾値よりも低下したことを検出して、記録倍速を低下させて記録を継続することを特徴とする。
【０００８】
本発明の請求項２記載の光ディスク記録制御方法は、回転駆動された光ディスクに光学ヘッド手段がアクセスして２種類以上の記録線速度でＺｏｎｅ  ＣＬＶ記録を行う光ディスク装置において、記録を実行するに際し、現在位置が速度切り替え位置に到達した時に前記光ディスクを回転駆動するスピンドル駆動手段の電源電圧の振幅が閾値未満の場合には、前記光ディスクの回転速度を高くして次の記録倍速に切り替えて記録し、現在位置が速度切り替え位置に到達した時に前記光ディスクを回転駆動するスピンドル駆動手段の電源電圧の振幅が閾値以上の場合には、前記速度切り替え位置を変更して記録を継続することを特徴とする。
【０００９】
本発明の請求項３記載の光ディスク記録制御方法は、請求項１において、前記閾値を決定する工程では、電源電圧として初期電圧Ｖ０を供給し、記録開始アドレスから記録を開始し、記録中に前記電源電圧を変更し、前記記録が終了すると電源電圧として初期電圧Ｖ０を供給し、前記記録した領域を再生し記録品位指標値を演算し、前記記録品位指標値が予め定めた許容範囲でない状態を検出した記録位置を記録したときの電源電圧値に応じて閾値を決定することを特徴とする。
本発明の請求項４記載の光ディスク記録制御方法は、請求項１において、前記閾値を決定する工程では、電源電圧として初期電圧Ｖ０を供給し、記録開始アドレスから記録を開始し、記録を終了し、前記記録が終了すると電源電圧を初期電圧Ｖ０を供給し、前記記録した領域を再生し記録品位指標値を演算し、前記記録品位指標値が予め定めた許容範囲でない状態を検出するまで電源電圧を変更して、記録の開始と終了、記録が終了すると電源電圧を初期電圧Ｖ０を供給し、記録品位指標値の演算を繰り返し、許容範囲でない状態を検出した記録位置を記録したときの電源電圧値に応じて閾値を決定することを特徴とする。
【００１０】
本発明の請求項５記載の光ディスク記録制御方法は、請求項２において、前記閾値を決定する工程では、電源電圧として初期電圧Ｖ０を供給し、記録開始アドレスから記録を開始し、記録中に前記初期電圧の振幅値を変更し、前記記録が終了すると電源電圧を初期電圧Ｖ０を供給し、前記記録した領域を再生し記録品位指標値を演算し、前記記録品位指標値が予め定めた許容範囲でない状態を検出した記録位置を記録したときの電源電圧の振幅値に応じて閾値を決定することを特徴とする。
【００１１】
本発明の請求項６記載の光ディスク記録制御方法は、請求項２において、前記閾値を決定する工程では、電源電圧として初期電圧Ｖ０を供給し、記録開始アドレスから記録を開始し、記録を終了し、前記記録が終了すると電源電圧の初期電圧Ｖ０を供給し、前記記録した領域を再生し記録品位指標値を演算し、前記記録品位指標値が予め定めた許容範囲でない状態を検出するまで電源電圧の初期電圧Ｖ０の振幅値を変更して、記録の開始と終了、記録が終了すると電源電圧を初期電圧Ｖ０を供給し、記録品位指標値の演算を繰り返し、許容範囲でない状態を検出した記録位置を記録したときの電源電圧の振幅値に応じて閾値を決定することを特徴とする。
【発明の効果】
【００１２】
この構成によると、特に、回路の追加や、複雑な処理を必要とせずに、近年特に増加傾向にあるノート型コンピュータ等電源駆動能力に制限のある環境での使用においても、適切な記録速度を選択して記録を行うことが可能であり、安定した記録品位を得ることができ、再生不能エラーを発生しにくくできる、という効果を有している。
【発明を実施するための最良の形態】
【００１３】
以下、本発明の各実施の形態を図１〜図１１に基づいて説明する。
（実施の形態１）
図１と図２は本発明の実施の形態１を示す。
【００１４】
図１は本発明の光ディスク装置を示す。
１は記録媒体としての光ディスクで、ＣＤ−Ｒメディア、ＣＤ−ＲＷメディア、ＤＶＤ−Ｒメディア、あるいはＤＶＤ−ＲＷメディア等の記録可能なメディアである。
【００１５】
２はスピンドルモータで、セットされた光ディスク１を回転駆動する。
３は光学ヘッド手段で、光ディスク１にレーザー光を照射して情報の記録を実行し、光ディスク１からの反射光を検出する。
【００１６】
４はＲＦ信号生成手段で、光学ヘッド手段３の読み出し信号より再生信号を生成する。
５はレーザ駆動手段で、マイコン手段８の出力で制御されて光学ヘッド手段３を駆動して光ディスク１をトレースするレーザビームを照射し、光ディスク１の記録データの読み出し（再生）を行い、記録に際しては、レーザ駆動手段５の駆動によりレーザを照射することによりデータの記録を行う。
【００１７】
６はスピンドル駆動手段で、マイコン手段８の出力で制御されて、光ディスク１へのデータの記録に際してスピンドルモータ２を駆動して光ディスク１を回転させる。
７はエンコーダ手段で、ＲＦ信号生成手段４の出力信号を入力信号としたマイコン手段８の出力で制御されて、記録したいデータを光ディスク１に記録するための記録レーザビームがレーザ駆動手段５から発生するように制御している。レーザ駆動手段５と光学ヘッド手段３とエンコーダ手段７により、光ディスク１にレーザビームを照射し情報を記録する情報記録手段２１が構成されている。
【００１８】
１０はアクセス手段で、マイコン手段８の出力で制御されて、光ディスク１へのデータの記録に際して、光ディスク１の指定されたアドレスへ光学ヘッド手段３を移動させる。
ここで、スピンドルモータ２にはマイコン手段８とスピンドル駆動手段６を介して電源回路２０から電源電圧が供給されている。また、レーザ駆動手段５にも電源回路２０から電源電圧が供給されている。９は電源回路２０の出力電圧を監視している電圧検出手段で、その結果情報をマイコン手段８に供給している。ノート型コンピュータに搭載された光ディスク装置の場合、電源回路２０は内蔵バッテリである。
【００１９】
マイコン手段８は次のように構成されている。
なお、この実施の形態では記録動作を行うときの前記マイコン手段８の動作を、ＣＤ−ＲメディアへのＣＬＶ８倍、１６倍速、２４倍速での記録が可能となっている場合を例に挙げて、図２のフローチャートにしたがって説明する。
【００２０】
記録命令を検出したマイコン手段８は、ステップＳ１−１でアクセス手段１０を駆動して光学ヘッド手段３を光ディスク１の記録開始アドレスＡへ移動させる。
ステップＳ１−２では、スピンドル駆動手段６を駆動して光ディスク１の回転速度を２４倍速に切り替える。次にステップＳ１−３では、電圧検出手段９が検出している電源電圧を読み込む。
【００２１】
ステップＳ１−４では、ステップＳ１−３で読み込んだ検出電圧値と、実験により予め決定した閾値と比較する。ここで、ステップＳ１−４において、検出電圧値が閾値以上であると判定した場合には、ステップＳ１−５を実行して、光ディスク１に対して予定通りのＣＬＶ２４倍速でアドレスＡから記録を実行し、終了する。
【００２２】
また、ステップＳ１−４において、電圧値が閾値に達しないと判定した場合には、ステップＳ１−６を実行して、予定していたＣＬＶ２４倍速での駆動を取り止めて、スピンドル駆動手段６をＣＬＶ１６倍速で駆動する。次いで、ステップＳ１−７で、電圧検出手段９が検出している電源電圧を読み込む。ステップＳ１−８では、ステップＳ１−７で読み込んだ検出電圧値と、実験により予め決定した前記閾値と比較する。ここで、ステップＳ１−８において、検出電圧値が閾値以上であると判定した場合には、ステップＳ１−９を実行して、光ディスク１に対してＣＬＶ１６倍速でアドレスＡから記録を実行し、終了する。
【００２３】
また、ステップＳ１−８において、電圧値が閾値に達しないと判定した場合には、ステップＳ１−１０を実行して、ＣＬＶ１６倍速での駆動を取り止めて、スピンドル駆動手段６をＣＬＶ８倍速で駆動し、ステップＳ１−１１で情報記録手段２１を制御してアドレスＡからＣＬＶ８倍速で記録を実行し、終了する。
【００２４】
このように、電圧検出手段９により電源電圧を検出し、検出された電圧値と予め決定された閾値との比較を行い、スピンドル駆動手段６に適切な回転速度指示を出すので、記録品位を安定させ、読み出し不能エラーが発生しにくいという効果を有する。
【００２５】
また、一般的に、電圧検出手段９はマイコン手段８に内蔵されていることが多く、その場合、特に回路追加することなく使用可能であり、コストも抑えることが可能である。
（実施の形態２）
図３と図４は本発明の実施の形態２を示す。
【００２６】
実施の形態１では電圧検出手段９により電源電圧を検出し、検出された電圧値と予め決定された閾値との比較を行い、電源電圧が閾値に達していなければ２４倍速から１６倍速，８倍速と光ディスク１の回転速度を遅くして、何れの場合もＣＬＶで記録を実行したが、この図３では記録方式は８倍速、１６倍速、２４倍速記録によるＺｏｎｅ  ＣＬＶである。光ディスク装置の構成図は図１と同じである。
【００２７】
この実施の形態３のマイコン手段８は次のように構成されている。
なお、この実施の形態では記録動作を行うときの前記マイコン手段８の動作を、ＣＤ−ＲメディアへのＣＬＶ８倍、１６倍速と２４倍速での“Ｚｏｎｅ  ＣＬＶ”記録動作を行う場合を例に挙げて、図３のフローチャートに従って説明する。
【００２８】
記録命令を検出したマイコン手段８は、ステップＳ２−１でスピンドル駆動手段６を制御して光ディスク１の回転速度を８倍速に切り替える。次に、ステップＳ２−２ではアクセス手段１０を駆動して光学ヘッド手段３を光ディスク１の記録開始アドレスＡへ移動させる。ステップＳ２−３では、情報記録手段２１を駆動してアドレスＡから８倍速で記録を行う。
【００２９】
ステップＳ２−４では、光学ヘッド手段３の現在位置が１６倍速切替位置に到達しているかどうか確認し、到達していないならば、ステップＳ２−３へ戻り、到達しているならばＳ２−５を実行する。
【００３０】
ステップＳ２−５では、電源電圧振幅を検出する。具体的には、そのときの光学ヘッド手段３がアクセス中の位置で線速度が８倍速となるようスピンドルモータ２がスピンドル駆動手段６を介して電源回路２０によって運転されている状態において、光ディスク１が所定の回転を完了する期間にわたってマイコン手段８が電圧検出手段９の出力を読み込む。「光ディスク１が所定の回転を完了する期間」とは、例えば、光ディスク１が１回転から数回転する期間である。
【００３１】
ステップＳ２−６では、ステップＳ２−５で得られた電源電圧振幅値に、現在の記録倍速８と速度切り替え後の記録倍速の比である“１６／８”を掛けた比較値と、予め実験により決定した閾値と比較する。
【００３２】
ステップＳ２−５で読み取った電源電圧振幅値と倍速切換前後の比に基づく前記比較値が、閾値未満ならば、ステップＳ２−６に次いでステップＳ２−８を実行する。前記比較値が閾値以上の場合には、ステップＳ２−６に次いでステップＳ２−７を実行する。
【００３３】
ステップＳ２−７では、１６倍速切替位置を更新してステップＳ２−３へ戻る。具体的には、図４に示すとおり、速度切り替え後の回転数が低くなる方向、つまり、アドレスが大となる方向に速度切り替え位置を更新する。すなわち、ステップＳ２−６での比較値が閾値のＰ倍（Ｐ＞１）であったとするとき、１６倍速切替位置での回転数が更新前の（１／Ｐ）倍となるよう１６倍速切替位置を決定する。半径ｒと回転数は反比例、また、一般にＣＬＶ方式の光ディスク１における半径ｒと光ディスク１上のアドレスｎは
ｒ ＝ √（（Ｋ×ｎ）＋ｒ０の２乗）
但し、ｒ０、及びＫはメディア毎に決められる定数
の関係となることから、上記条件を満たすようにｎを決定し、新しい１６倍速切替アドレスとする。
【００３４】
ステップＳ２−８では、スピンドル駆動手段６を駆動し、光ディスク１の回転速度を１６倍速に切り替えて、ステップＳ２−１３において情報記録手段２１を駆動し、アドレスＡから１６倍速で記録を行う。ステップＳ２−１４では、光学ヘッド手段３のアクセスしている現在位置が、２４倍速切替位置に到達しているかどうか確認する。
【００３５】
ステップＳ２−８において２４倍速切替位置に到達していないならば、ステップＳ２−１３へ戻る。２４倍速切替位置に到達しているならばステップＳ２−１５を実行する。
ステップＳ２−１５では、ステップＳ２−５と同様に光ディスク１が所定の回転を完了する期間にわたってマイコン手段８が電圧検出手段９の出力を読み込む。
【００３６】
ステップＳ２−１６では、ステップＳ２−１５で得られた電源電圧振幅値に現在の記録倍速１６と速度切り替え後の記録倍速２４の比“２４／１６”を掛けた値と、前記閾値と比較する。
【００３７】
ステップＳ２−１６において、ステップＳ２−１５で読み取った電源電圧振幅値と倍速切換前後の比に基づく前記比較値が、閾値未満ならば、ステップＳ２−１６に次いでステップＳ２−１８を実行する。前記比較値が閾値以上場合には、ステップＳ２−１６に次いでステップＳ２−１７を実行する。
【００３８】
ステップＳ２−１７では、２４倍速切替位置を更新し、ステップＳ２−１３へ戻る。図４に示すとおり、速度切り替え後の回転数が低くなる方向、つまり、アドレスが大となる方向に速度切り替え位置を更新する。すなわち、２４倍速切替位置の具体的な更新方法としては、ステップＳ２−１６での比較値が閾値のＰ倍（Ｐ＞１）であったとするとき、２４倍速切替位置での回転数が更新前の（１／Ｐ）倍となるよう２４倍速切替位置を決定する。半径ｒと回転数は反比例、また、一般にＣＬＶ方式のメディアにおける半径ｒと光ディスク上のアドレスｎは
ｒ ＝ √（（Ｋ×ｎ）＋ｒ０の２乗）
但し、ｒ０、及びＫはメディア毎に決められる定数
の関係となることから、上記条件を満たすようにｎを決定し、新しい２４倍速切替アドレスとする。
【００３９】
ステップＳ２−１８では、スピンドル駆動手段６を駆動し、光ディスク１の回転速度を２４倍速に切り替える。次いでステップＳ２−２３では、情報記録手段２１を駆動してアドレスＣから２４倍速で記録を行う。
【００４０】
このように、実施の形態２においては、電圧検出手段９により電源電圧振幅を検出し、検出された電圧値と予め決定された閾値との比較を行い、Ｚｏｎｅ  ＣＬＶ記録時の記録速度切り替え位置を適切に変化させることにより、電源電圧振幅が大きい場合にも記録時のスピンドル回転数を適切に抑えることができ、より安定した記録速度での記録が行われることにより、記録品位を安定させ、読み出し不能エラーが発生しにくいという効果を有する。
【００４１】
また、一般的に、電圧検出手段９はマイコン手段８に内蔵されていることが多く、その場合特に回路追加することなく使用可能であり、コストも抑えることが可能である。
（実施の形態３）
図５と図６および図７は本発明の実施の形態３を示す。
【００４２】
実施の形態１ではマイコン手段８に予め書き込まれた閾値を基準にして時々の状態を判定して運転していた。この実施の形態３は運転に際して前記閾値を求める工程で使用される光ディスク装置を示し、実施の形態１の運転に必要な前記閾値を決定する具体例を示している。
【００４３】
図５がこの閾値の決定に使用する光ディスク装置で、図１では内蔵バッテリであった電源回路２０が、この図５では制御信号２２に基づいて出力電圧を可変できる電源装置２０Ａに入れ替えられている。さらに、図１では、ＲＦ信号生成手段４の再生出力がマイコン手段８に直接に入力されていたが、図５ではこれだけでなく、ＲＦ信号生成手段４の再生出力が、記録品位指標値演算手段１１を介してマイコン手段８にも出力されている。また、マイコン手段８には不揮発性メモリ手段１２が接続されている。その他は図１と同じである。
【００４４】
記録品位指標値演算手段１１は、光ディスク１を再生するに際してＲＦ信号再生手段４からの信号をもとに記録品位指標値演算を行う。不揮発性メモリ手段１２は、工程調整手順で得られた閾値を保存している。
【００４５】
記録動作を行うときの前記マイコン手段８の動作については、実施の形態１において図２のフローチャートを用いて説明した方法と同様であるが、ステップＳ１−４及び、ステップＳ１−８において予め決定した閾値として不揮発性メモリ１２に格納された閾値を使用するようになっている。
【００４６】
前記閾値を決定する工程調整時の処理の流れを図６のフローチャートに示す。
工程調整の開始を指示するコマンド２３が入力されたことをマイコン手段８が検出すると、図６のフローチャートを実行する。図６の右側に記載したステップＳ５−２１〜Ｓ５−２５のルーチンが電源装置２０Ａに関する内容である。
【００４７】
ステップＳ５−２１では、電源装置２０Ａを制御して電源電圧として初期電圧Ｖ０を供給する。
ステップＳ５−１では、マイコン手段８がアクセス手段１０を駆動し、光学ヘッド手段３を記録開始アドレスＡへ移動させる。ステップＳ５−２では、情報記録手段２１を駆動し、アドレスＡから記録を行う。
【００４８】
ステップＳ５−２２では、電源電圧をＶ１（但し、Ｖ１ ＜ Ｖ０）を供給する。ステップＳ５−２３では電源電圧をＶ２（Ｖ２ ＜ Ｖ１）とする。ステップＳ５−２４では
電源電圧をＶｎ（ Ｖｎ ＜ Ｖ（ｎ−１））とする。このようにステップＳ５−２２〜ステップＳ５−２４によって、電源電圧は図７のように次第に電圧が小さくなるよう変化する。
【００４９】
ステップＳ５−２で開始した記録は、ステップＳ５−２２〜ステップＳ５−２４の間も続けられており、ステップＳ５−３でマイコン手段８は前記記録を終了させる。
ステップＳ５−２５では、電源電圧を初期電圧Ｖ０とする。ステップＳ５−４では、アクセス手段１０を駆動し、記録開始アドレスＡへ光学ヘッド手段３を移動させる。
【００５０】
ステップＳ５−５では、変数Ｉ＝０とする。ステップＳ５−６では、マイコン手段８は光学ヘッド手段３およびＲＦ信号生成手段４を駆動し、Ｉ番目の記録領域、すなわち、電圧ＶＩで記録した記録領域を再生する。
【００５１】
ステップＳ５−７では、記録品位指標演算手段１１において演算されたＩ番目の記録領域における記録品位指標値を読み取る。ステップＳ５−８では、ステップＳ５−７で得られた記録品位指標値が予め定めた許容範囲内であるかどうか判定する。許容範囲内ならばステップＳ５−９で前記Ｉを＋１してステップＳ５−６に戻る。
【００５２】
ステップＳ５−８において許容範囲でないと判定された場合にはステップＳ５−１０で不揮発性メモリ手段１２に閾値＝電圧ＶＩと保存して終了する。
このように、上記判定閾値を工程調整時に個々のドライブ毎に決定し、不揮発性メモリメモリ手段１２に保存し、使用することによりドライブ毎に最適な閾値判定を行い記録速度を選択することが可能である。また、このようにして不揮発性メモリメモリ手段１２に保存した内容を、構成が同様の別の光ディスク装置に閾値としてマイコン手段８に書き込んでステップＳ１−４，ステップＳ１−８を実行することもできる。
【００５３】
（実施の形態４）
図８は図６と同様の効果が期待できる別のフローを示している。
工程調整の開始を指示するコマンド２３がマイコン手段８に入力されたと検出すると、図８のフローチャートを実行する。図８の右側に記載したステップＳ７−２１〜Ｓ５−２３のルーチンが電源装置２０Ａに関する内容である。
【００５４】
ステップＳ７−２１では、電源装置２０Ａを制御して電源電圧として初期電圧Ｖ０を供給する。
ステップＳ７−１では、変数Ｉ＝０とする。ステップＳ７−２２では、電源電圧ＶI（ＶI ＜ Ｖ（Ｉ−１））を供給する。ステップＳ７−２では、アクセス手段１０を駆動し、Ｉ番目の記録領域へ光学ヘッド手段３を移動させ、ステップＳ７−３では情報記録手段２１を駆動し、記録を行う。ステップＳ７−４で記録を終了させる。
【００５５】
ステップＳ７−２３では、電源電圧を初期電圧Ｖ０とする。
ステップＳ７−５ではアクセス手段１０を駆動し、Ｉ番目の記録領域へ光学ヘッド手段３を移動させる。ステップＳ７−６では、光学ヘッド手段３およびＲＦ信号生成手段４を駆動してＩ番目の記録領域、すなわち、電圧ＶＩで記録した記録領域を再生する。
【００５６】
ステップＳ７−７では、記録品位指標演算手段１１において演算されたＩ番目の記録領域における記録品位指標値を読み取る。ステップＳ７−８では、ステップＳ７−７で得られた記録品位指標値が予め定めた許容範囲内であるかどうか判定する。
【００５７】
ステップＳ７−８で許容範囲内であると判定された場合には、ステップＳ７−９で前記Ｉを＋１してステップＳ７−２に戻る。
ステップＳ７−８で許容範囲でないと判定された場合には、ステップＳ７−１０で閾値＝電圧ＶＩとし、不揮発性メモリ手段１２に保存する。
【００５８】
このように、上記判定閾値を工程調整時に個々のドライブ毎に決定し、不揮発性メモリメモリ手段１２に保存し、使用することによりドライブ毎に最適な閾値判定を行い記録速度を選択することが可能である。また、このようにして不揮発性メモリメモリ手段１２に保存した内容を、構成が同様の別の光ディスク装置に閾値としてマイコン手段８に書き込んでステップＳ１−４，ステップＳ１−８を実行することもできる。
【００５９】
（実施の形態５）
図９と図１０は本発明の実施の形態５を示す。
実施の形態２ではマイコン手段８に予め書き込まれた閾値を基準にして時々の状態を判定して運転していた。この実施の形態５は運転に際して前記閾値を求める工程で使用される光ディスク装置を示し、実施の形態２の運転に必要な前記閾値を決定する具体例を示している。この閾値の決定に使用する光ディスク装置の構成は図５と同じである。
【００６０】
前記閾値を決定する工程調整時の処理の流れを図９のフローチャートに示す。
工程調整の開始を指示するコマンド２３がマイコン手段８に入力されたと検出すると、図９のフローチャートを実行する。図９の右側に記載したステップＳ６−２１〜Ｓ６−２５のルーチンが電源装置２０Ａに関する内容である。
【００６１】
ステップＳ６−２１では、電源装置２０Ａを制御して電源電圧として初期電圧Ｖ０を供給する。
ステップＳ６−１では、アクセス手段１０を駆動し、記録開始アドレスＡへ光学ヘッド手段３を移動させる。ステップＳ６−２では、情報記録手段２１を駆動し、アドレスＡから記録を行う。
【００６２】
ステップＳ６−２２では、電源電圧の振幅をＡ１とする。ステップＳ６−２３では、電源電圧の振幅をＡ２（Ａ２ ＞ Ａ１）とする。ステップＳ６−２４では、電源電圧の振幅をＡｎ（Ａｎ＜Ａ（ｎ−１））とする。ここでの電源電圧の振幅は図１０の如く次第に振幅が大きくなるよう変化させている。
【００６３】
ステップＳ６−３では記録を終了させる。
ステップＳ６−２５では、電源供給電圧を初期電圧Ｖ０とする。
ステップＳ６−４では、アクセス手段１０を駆動し、記録開始アドレスＡへ光学ヘッド手段３を移動させる。ステップＳ６−５では変数Ｉ＝０とする。ステップＳ６−６では、光学ヘッド手段３およびＲＦ信号生成手段４を駆動してＩ番目の記録領域、すなわち、電源電圧の振幅ＡＩで記録した記録領域を再生する。
【００６４】
ステップＳ６−７では、記録品位指標演算手段１１が演算したＩ番目の記録領域における記録品位指標値を読み取る。
ステップＳ６−８では、ステップＳ６−７で得られた記録品位指標値が予め定めた許容範囲内であるかどうか判定する。
【００６５】
ステップＳ６−８で許容範囲内であると判定されて場合には、ステップＳ６−９でＩを＋１してステップＳ６−６に戻る。
ステップＳ６−８で許容範囲内であると判定されて場合には、閾値＝電圧振幅ＡＩとし、不揮発性メモリ手段１２に保存する。
【００６６】
以上のように、本実施の形態５においては、電圧検出手段９により電源電圧振幅値を検出し、検出された電圧振幅値と予め決定された閾値との比較をステップＳ２−６及び、ステップＳ２−１６において行い、Ｚｏｎｅ  ＣＬＶ記録時の記録速度切り替え位置を適切に変化させることにより、電源電圧振幅が大きい場合にも記録時のスピンドル回転数を適切に抑えることができ、より安定した記録速度での記録が行われることにより、記録品位を安定させ、読み出し不能エラーが発生しにくいという効果を有する。さらに、上記判定閾値を工程調整時に個々のドライブ毎に決定し不揮発性メモリに保存し、使用することによりドライブ毎に最適な閾値を用いて記録速度を選択することが可能である。
【００６７】
（実施の形態６）
図１１は図８と同様の効果が期待できる別のフローを示している。
工程調整の開始を指示するコマンド２３がマイコン手段８に入力されたと検出すると、図１１のフローチャートを実行する。図１１の右側に記載したステップＳ８−２１〜Ｓ５−２３のルーチンが電源装置２０Ａに関する内容である。
【００６８】
ステップＳ８−２１では、電源装置２０Ａを制御して電源電圧として初期電圧Ｖ０（振幅Ａ０＝０）を供給する。
ステップＳ８−１では変数Ｉ＝０とする。
【００６９】
ステップＳ８−２２では、供給電源に振幅ＡI（ＡI ＞ Ａ（Ｉ−１））を加える。
ステップＳ８−２ではアクセス手段１０を駆動し、Ｉ番目の記録領域へ光学ヘッド手段３を移動させる。ステップＳ８−３では情報記録手段２１を駆動し、記録を行う。ステップＳ８−４では情報記録手段２１を駆動し記録を終了させる。
【００７０】
ステップＳ８−２３では、電源供給電圧を初期電圧Ｖ０（振幅Ａ０＝０）とする。
ステップＳ８−５では、アクセス手段１０を駆動し、Ｉ番目の記録領域へ光学ヘッド手段３を移動させる。
【００７１】
ステップＳ８−６では、光学ヘッド手段３およびＲＦ信号生成手段４を駆動しＩ番目の記録領域、すなわち、電圧ＶＩで記録した記録領域を再生する。ステップＳ８−７では記録品位指標演算手段１１が演算したＩ番目の記録領域における記録品位指標値を読み取る。
【００７２】
ステップＳ８−８では、ステップＳ８−７で得られた記録品位指標値が予め定めた許容範囲内であるかどうか判定する。ステップＳ８−８で許容範囲内であると判定された場合には、ステップＳ８−９において変数Ｉを＋１し、ステップＳ８−２２により供給電源電圧へ加える振幅を変化させ、ステップＳ８−２へ戻る。
【００７３】
ステップＳ８−８で許容範囲でないと判定された場合には、ステップＳ８−１０で閾値＝電圧振幅ＡＩとし、不揮発性メモリ手段１２に保存する。
このように、実施の形態６においては、電圧検出手段９により電源電圧振幅値を検出し、検出された電圧振幅値と予め決定された閾値との比較をステップＳ２−６及び、ステップＳ２−１６において行い、Ｚｏｎｅ  ＣＬＶ記録時の記録速度切り替え位置を適切に変化させることにより、電源電圧振幅が大きい場合にも記録時のスピンドル回転数を適切に抑えることができ、より安定した記録速度での記録が行われることにより、記録品位を安定させ、読み出し不能エラーが発生しにくいという効果を有する。さらに、上記判定閾値を工程調整時に個々のドライブ毎に決定し不揮発性メモリに保存し、使用することによりドライブ毎に最適な閾値を用いて記録速度を選択することが可能である。
【産業上の利用可能性】
【００７４】
本発明は、特別な回路の追加や、複雑な処理を必要とせずに、近年特に増加傾向にあるノート型コンピュータ等電源駆動能力に制限のある環境での使用においても、適切な記録速度を選択して記録を行うことが可能であり、安定した記録品位を得ることができ、再生不能エラーを発生しにくくすることが可能であり、光ディスクメディアへのデータ記録技術として有用である。
【図面の簡単な説明】
【００７５】
【図１】本発明の実施の形態１の光ディスク記録制御方法を採用した光ディスク装置の構成図
【図２】同実施の形態の記録時のフローチャート図
【図３】本発明の実施の形態２の光ディスク記録制御方法を採用した光ディスク装置の記録時のフローチャート図
【図４】同実施の形態のＺｏｎｅ  ＣＬＶ切替位置と回転数の説明図
【図５】本発明の実施の形態３の光ディスク記録制御方法を採用した光ディスク装置の構成図
【図６】同実施の形態の閾値決定工程のフローチャート図
【図７】同実施の形態の電圧に関する説明図
【図８】本発明の実施の形態４の光ディスク記録制御方法を採用した光ディスク装置の閾値決定工程のフローチャート図
【図９】本発明の実施の形態５の光ディスク記録制御方法を採用した光ディスク装置の閾値決定工程のフローチャート図
【図１０】同実施の形態５における電圧に関する説明図
【図１１】本発明の実施の形態６の光ディスク記録制御方法を採用した光ディスク装置の閾値決定工程のフローチャート図
【符号の説明】
【００７６】
１    光ディスク
２    スピンドルモータ
３    光学ヘッド手段
４    ＲＦ信号生成手段
５    レーザ駆動手段
６    スピンドル駆動手段
７    エンコーダ手段
８    マイコン手段
９    電圧検出手段
１０    アクセス手段
１１    記録品位指標値演算手段
１２    不揮発性メモリ手段
２０    電源回路
【図１】
2008016159.tif 000003
【図２】
2008016159.tif 000004
【図３】
2008016159.tif 000005
【図４】
2008016159.tif 000006
【図５】
2008016159.tif 000007
【図６】
2008016159.tif 000008
【図７】
2008016159.tif 000009
【図８】
2008016159.tif 000010
【図９】
2008016159.tif 000011
【図１０】
2008016159.tif 000012
【図１１】
2008016159.tif 000013